(57)【特許請求の範囲】
【請求項１】
軸固定面を有するブロック状の振動子を振動発生モータの回転軸に偏芯固定させる方法において、
前記軸固定面に沿って形成され、開口端部が内側に張り出した軸挿入溝に対して、圧入部材の押圧面によって前記回転軸の露出部分の略全体を押すことにより、前記回転軸を前記軸固定面の上方から圧入して、前記開口端部を一時的に押し広げながら前記回転軸を前記軸挿入溝内に押し込むことにより、前記回転軸に前記振動子を固定させることを特徴とした振動発生モータの振動子固定方法。
【請求項２】
前記回転軸の径に対して前記軸挿入溝の開口の幅が、圧入分だけ小さいことを特徴とした請求項１記載の振動発生モータの振動子固定方法。
【請求項３】
前記回転軸が前記軸挿入溝に圧入される際に、前記軸挿入溝の内壁面に形成されたストッパ凸部が前記回転軸の外周面に形成されたストッパ凹部に係合することを特徴とした請求項１又は請求項２に記載の振動発生モータの振動子固定方法。
【発明の詳細な説明】
【０００１】
【発明の属する技術分野】
本発明は、例えば携帯通信機器等の呼び出し機能に用いられる振動発生モータの振動子固定方法に関する。
【０００２】
【従来の技術】
従来は、実公平４−１３８６０号公報、実公平７−３５５００号公報および特許第２５１８７８１号公報のように振動子に回転軸を挿入して振動子の取付部材でかしめて回転軸を固定する方法、実開平６−４８３６９号公報のように振動子に回転軸を圧入して固定する方法、或いは特開平６−９８４９６号公報のように振動子に回転軸を挿入して溶接で固定する方法などが知られている。
【０００３】
【発明が解決しようとする課題】
従来、特に実公平４−１３８６０号公報および実公平７−３５５００号公報のように、振動子には回転軸を挿入するための軸収容孔が設けられ、この軸収容孔を取り囲んで所定の肉厚の固定部が形成されている。ここで、固定部は振動子の重心の反対側に位置するので、固定部の重量だけ振動子の重心は回転軸に近づくこととなる。このため、振動子の振動効率が低下して、振動子が回転しても必要な振動が得られないことがあり問題であった。
【０００４】
また、従来の振動子固定方法は、取付部材でかしめる際に回転軸を曲げてしまうことがあり問題であった。特に、携帯通信機器等に収容するためにモータを小型化すると回転軸の径も小さくなり、回転軸の曲がりがより顕著になった。このように回転軸が曲がると振動子の回転半径が広くなり、モータを収容する携帯通信機器等のケース内壁に振動子が接触して振動子が破損することがあった。
【０００５】
ここで、携帯通信機器等のケース内部に回転軸の曲がりを吸収できるだけのスペースがあればケース内壁への振動子の接触を防止できるが、携帯通信機器等の小型化が要請されている今日では、ケース内部に余分なスペースを確保するのは難しい。そこで、ケース内部の少ないスペースの中で振動子を十分に回転させて振動を発生させるためには、回転軸の僅かな曲がりがトラブルの原因になる。このような軸の曲がりを修正しようとすることは、新たに加工工程の増加を招くこととなり好ましくないものである。
【０００６】
本発明は、以上の問題を解決し、モータが小型になっても、高い振動効率が得られ、且つ、回転軸を曲げることなく回転軸に振動子を固定できる振動子固定方法を提供することを目的とする。
【０００７】
【課題を解決するための手段】
請求項１の振動発生モータの振動子固定方法は、軸固定面を有するブロック状の振動子を振動発生モータの回転軸に偏芯固定させる方法において、
軸固定面に沿って形成され、開口端部が内側に張り出した軸挿入溝に対して、圧入部材の押圧面によって回転軸の露出部分の略全体を押すことにより、回転軸を軸固定面の上方から圧入して、開口端部を一時的に押し広げながら回転軸を軸挿入溝内に押し込むことにより、回転軸に振動子を固定させることを特徴とする。
【０００８】
このような構成を採用した場合、軸固定面の上方から軸挿入溝に向けて回転軸を圧入すると、軸挿入溝の開口端部は押し広げられて、回転軸は軸挿入溝内に押し込められる。回転軸が軸挿入溝内に収容されると軸挿入溝の開口端部の間隔は狭まり、回転軸は軸挿入溝の内壁面に挟み込まれる。その結果、振動子は回転軸に確実に固定される。
【０００９】
特に、モータが小型になると回転軸の径が小さくなるので、回転軸の一部をかしめて固定していた従来の固定方法では、力が加わった部分で回転軸が曲がることがあった。請求項１の固定方法は、回転軸の露出部分の略全体に力を加えて回転軸を軸挿入溝に圧入しているので回転軸が曲がることはない。その結果、回転軸に固定された振動子の回転半径が広がることはなく、小型のケースに振動子を収容してもケース内壁に振動子が接触しない。
【００１０】
請求項２において、回転軸の径に対して軸挿入溝の開口の幅が、圧入分だけ小さいことを特徴とする。このような構成を採用した場合、適度な力で軸挿入溝に回転軸を圧入することができ、回転軸及び軸挿入溝の開口端部に過剰な力が加わることがない。このため、回転軸および振動子に歪みが生じることはない。
【００１１】
請求項３において、回転軸が軸挿入溝に圧入される際に、軸挿入溝の内壁面に形成されたストッパ凸部が回転軸の外周面に形成されたストッパ凹部に係合することを特徴とする。このような構成を採用した場合、軸挿入溝のストッパ凸部が回転軸のストッパ凹部に係合して固定されるので、振動子が回転軸の軸方向にずれることはない。
【００１２】
【発明の実施の形態】
以下、本発明に係る振動発生モータの振動子固定方法の好適な実施形態について添付図面を参照して説明する。
【００１３】
（第１の実施形態）
図１は、第１の実施形態である振動子固定方法によって振動子が固定された振動発生モータ１を示す斜視図である。図１に示すように、振動発生モータ１は、モータ本体２の回転軸３に偏芯固定された振動子４を備えている。振動子４は、円柱を軸線方向に切断したブロック形状を有しており、この切断面が回転軸３を固定するための軸固定面５となっている。軸固定面５の中央には両端面を貫通する軸挿入溝６が形成され、振動子４における軸挿入溝６の延在方向と直交する断面は半月形状である。このため、振動子４の重心が外周方向に寄るので、振動子４の回転によって発生する遠心力が振動発生に対して最も有利になる。
【００１４】
図２に示すように、軸挿入溝６の両側壁７は軸固定面５から突出しており、これらの側壁７の先端である軸挿入溝６の開口端部８は内側に張り出している。そして、軸挿入溝６の内壁面は円弧状に湾曲しており、軸挿入溝６の内壁面の径Ｂは回転軸３の径をＡとすると僅かにＡ＞Ｂとなる。このため、軸挿入溝６への回転軸３の挿入は、径の小さい軸挿入溝６に径の大きい回転軸３を締まりばめで圧入することとなり、軸挿入溝６の内壁面は常に回転軸３を押圧する。その結果、回転軸３は軸挿入溝６に確実に固定される。
【００１５】
また、軸挿入溝６の開口における軸線に直交する方向の幅Ｃは、軸挿入溝６の内壁面の径Ｂより狭いのでＢ＞Ｃとなる。このため、回転軸３が軸挿入溝６に挿入された後は、開口端部８の張り出し部分が回転軸３を軸挿入溝６の底方向に押圧するので、軸挿入溝６の開口から回転軸３が抜け落ちることはない。
【００１６】
ここで、回転軸３の径Ａと軸挿入溝６の開口の幅Ｃとの差は、０．０２〜０．１４ｍｍで、好ましくはＡ−Ｃ≒０．０８ｍｍである。回転軸３の径Ａと軸挿入溝６の開口の幅Ｃとはこのように僅かな差しかないので、適度な力で軸挿入溝６に回転軸３を圧入するだけで回転軸３を軸挿入溝６に押し込むことができ、回転軸３及び振動子４に歪みが生じることはない。
【００１７】
なお、回転軸３の径Ａは０．８ｍｍとし、軸挿入溝６の開口の幅Ｃは０．７ｍｍとしている。また、回転軸３の材質はステンレスであり、振動子４の材質はタングステン合金である。
【００１８】
次に、第１の実施形態である振動子固定方法について説明する。図３（ａ）に示すように、振動子４は振動子固定台９に載置され、振動子固定台９の上方に圧入部材１０が配置されている。圧入部材１０の下面は振動子４とほぼ同一の幅を持つ矩形状の押圧面１０ａになっている。また、圧入部材１０の上端は駆動アーム（図示せず）に固定され、駆動アームの上下動によって圧入部材１０は上昇及び下降する。
【００１９】
図３（ｂ）に示すように、振動発生モータ２の回転軸３を軸挿入溝６上部に配置した状態で駆動アームを駆動させて、圧入部材１０を下降させると、圧入部材１０の押圧面１０ａで回転軸３の露出部分の略全体が軸方向に均一な力で押され、軸挿入溝６の開口端部８が押し広げられる。そして、図４（ｃ）に示すように、回転軸３は軸挿入溝６内に締まりばめで圧入され、回転軸３は軸挿入溝６の内壁面に挟み込まれる。その結果、振動子４は回転軸３に確実に固定される。また、回転軸３を軸挿入溝６に圧入した後は、軸挿入溝６の開口端部８は元の状態に復元し、軸挿入溝６の開口の幅が狭くなる。このため、回転軸３が軸挿入溝６の開口から抜け落ちることはない。
【００２０】
このような固定方法では、回転軸３には軸方向の不均一な力は加わらないので、たとえモータが小型になっても回転軸３が曲がることはない。また、軸挿入溝６の内壁面全体で回転軸３を挟み込んでいるので、一点をかしめて回転軸３を固定していた従来例のように、回転軸３を挟み込む力が一点に集中することがない。さらに、振動子４の重心の反対側である軸固定面５の上部は大きく開放しているので、振動子４の外周方向に重心が寄り、振動子４の回転によって発生する遠心力が振動発生に対して最も有利になる。さらにまた、軸と直交する方向から力を加えて回転軸３を軸挿入溝６に圧入しているので、モータ本体２に無理な力が加わることもない。
【００２１】
（第２の実施形態）
図５は、第２の実施形態である振動子固定方法によって振動子が固定された振動発生モータ１１を示す斜視図である。なお、第１の実施形態と同一又は同等な構成部分については同一符号を付し、その説明は省略する。
【００２２】
図５に示すように、振動発生モータ１１は、モータ本体２の回転軸３に偏芯固定された振動子４を備えている。振動子４は、円柱を軸線方向に切断したブロック形状を有しており、この切断面が回転軸３を固定するための軸固定面５となっている。軸固定面５の中央には両端面を貫通する軸挿入溝６が形成され、軸挿入溝６の内壁面には環状のストッパ凸部１２が内周に沿って形成されている。さらに、回転軸３の外周面にはＵ溝状のストッパ凹部１３が外周に沿って形成されている。
【００２３】
次に、第２の実施形態である振動子固定方法について説明する。図６に示すように、振動子４は振動子固定台９に載置され、振動子固定台９の上方に圧入部材１０が配置されている。圧入部材１０の上端は駆動アーム（図示せず）に固定され、駆動アームの上下動によって圧入部材１０は上昇及び下降する。そして、駆動アームを駆動させて圧入部材１０を下降させると、圧入部材１０の押圧面１０ａで回転軸３の露出部分の略全体が押され、回転軸３は軸挿入溝６内に締まりばめで圧入される。この圧入によって回転軸３は軸挿入溝６の内壁面に挟み込まれ、回転軸３は軸挿入溝６内に固定される。また、回転軸３の圧入によって軸挿入溝６のストッパ凸部１２が回転軸３のストッパ凹部１３に係合して固定される。このため、振動子４が回転軸３の軸方向にずれることはなく、振動子４の抜け落ちが効果的に防止される。
【００２４】
なお、本発明は上記実施形態に限定されることなく、本発明の趣旨から逸脱しない範囲内において、例えば以下のように変更することも可能である。
【００２５】
（１）上記実施形態では、振動子４の断面は、半月形状であったが、長方形状、台形状などであってもよい。
【００２６】
（２）上記実施形態では、回転軸３の径Ａと軸挿入溝６の開口の幅Ｃとの差は、そもそも軸径が０．８ｍｍと極小径であることから、Ａ−Ｃ≒０．０８ｍｍとしていたが、回転軸３及び振動子４の材質に合わせ、また、回転軸３の径に応じてこの数値を変えてもよいことは言うまでもない。
【００２７】
【発明の効果】
本発明による振動発生モータの振動子固定方法は、以上のように構成されているため次のような効果を得ることができる。
【００２８】
即ち、回転軸の露出部分の略全体に力を加えて回転軸を軸挿入溝に圧入しているので回転軸が曲がることはない。このため、回転軸に固定された振動子の回転半径が広がることはなく、小型のケースに振動子を収容しても、ケース内壁に振動子が接触して振動子が破損することはない。このように、本発明を用いれば、耐久性に優れた振動発生モータが製造できる。
【００２９】
また、振動子の重心を回転軸から遠ざけることができるので振動効率が向上する。
【図面の簡単な説明】
【図１】本発明の振動子固定方法を用いて製造された振動発生モータを示す斜視図である。
【図２】図１の振動子の要部を示す断面図である。
【図３】（ａ）（ｂ）は、本発明に係る振動子の固定方法の工程を示す斜視図である。
【図４】（ｃ）は、本発明に係る振動子の固定方法の工程を示す斜視図である。
【図５】本発明の振動子固定方法を用いて製造された振動発生モータを示す斜視図である。
【図６】本発明に係る振動子の固定方法の工程を示す斜視図である。
【符号の説明】
１，１１…振動発生モータ、２…モータ本体、３…回転軸、４…振動子、５…軸固定面、６…軸挿入溝、８…開口端部、１０…圧入部材、１０ａ…押圧面、１２…ストッパ凸部、１３…ストッパ凹部。
【図１】
0004005665.tif 000002
【図２】
0004005665.tif 000003
【図３】
0004005665.tif 000004
【図４】
0004005665.tif 000005
【図５】
0004005665.tif 000006
【図６】
0004005665.tif 000007